(57)【特許請求の範囲】
【請求項１】
所定の軸上に配置された第１および第２の電極を備える光源ランプと、
前記所定の軸を中心とした回転曲面によって構成された凹面を有する凹面鏡と、
を備え、
前記凹面鏡の凹面は、
前記凹面鏡の底部側の領域における第１の凹面と、開口側の領域における第２の凹面と、を含み、
前記第１の凹面は、前記凹面鏡の開口側に配置された前記第１の電極の近傍の点を焦点とする第１種の回転放物面形状を有し、
前記第２の凹面は、前記凹面鏡の底部側に配置された前記第２の電極の近傍の点を焦点とし、前記第１種の回転放物面形状とは異なる第２種の回転放物面形状を有することを特徴とする光源装置。
【請求項２】
所定の軸上に配置された第１および第２の電極を備える光源ランプと、
前記所定の軸を中心とした回転曲面によって構成された凹面を有する凹面鏡と、
を備え、
前記凹面鏡の凹面は、
前記凹面鏡の底部側の領域における第１の凹面と、開口側の領域における第２の凹面と、を含み、
前記第１の凹面は、前記凹面鏡の開口側に配置された前記第１の電極の近傍の点を焦点とする第１種の回転楕円面形状を有し、
前記第２の凹面は、前記凹面鏡の底部側に配置された前記第２の電極の近傍の点を焦点とし、前記第１種の回転楕円面形状とは異なる第２種の回転楕円面形状を有することを特徴とする光源装置。
【請求項３】
請求項２記載の光源装置であって、さらに、
前記第１の凹面の２つの焦点のうちの前記第１の電極近傍の焦点でない他方の焦点と、前記第２の凹面の２つの焦点のうちの前記第２の電極近傍の焦点でない他方の焦点とは、ほぼ一致する、光源装置。
【請求項４】
請求項２または３記載の光源装置であって、さらに、
前記光源装置からの射出光を略平行な光線束に変換するための平行化レンズを備える、光源装置。
【請求項５】
請求項１ないし４のいずれかに記載の光源装置であって、
前記第１の凹面と前記第２の凹面とは、前記第１の電極と前記第２の電極との中心を通り前記所定の軸と直交する平面と、前記凹面鏡と、の交線近傍において区分されている、光源装置。
【請求項６】
請求項１ないし５のいずれかに記載の光源装置であって、さらに、
前記光源装置は、射出面に透光性の前面板を備える、光源装置。
【請求項７】
請求項６記載の光源装置であって、さらに、
前記光源装置の内部と外部とを貫通する通気孔を備える、光源装置。
【請求項８】
投写型表示装置であって、
請求項１ないし７のいずれかに記載の光源装置を含む照明光学系と、
前記照明光学系からの光を画像情報に応じて変調する電気光学装置と、
前記電気光学装置で得られる変調光線束を投写する投写光学系と、
を備えることを特徴とする投写型表示装置。
【発明の詳細な説明】
【０００１】
【発明の属する技術分野】
本発明は、光源装置、および、これを用いて画像を投写表示する投写型表示装置に関する。
【０００２】
【従来の技術】
投写型表示装置では、照明光学系から射出された照明光を、液晶パネルなどを用いて画像情報（画像信号）に応じて変調し、変調された光をスクリーン上に投写することにより画像表示を実現している。
【０００３】
照明光学系は、通常、光源ランプと、光源ランプから射出された光を所定の方向に反射するための凹面を有する凹面鏡と、を含む光源装置を備えている。光源装置においては、光源ランプから射出された光をできるだけ有効に利用できることが好ましい。
【０００４】
従来では、凹面鏡として、例えば、回転放物面形状の凹面を有するものが利用されている。このような凹面鏡を用いれば、光源ランプを点光源とみなして凹面鏡の焦点位置に配置することにより、光源ランプから射出された光をほぼ平行な光とすることができる。
【０００５】
【発明が解決しようとする課題】
しかし、光源ランプのアーク長が短い場合、光源ランプ内の２つの電極自身が、２つの電極近傍に形成される発光部からの光の放射を遮ってしまう。なお、発光部は、最も高温となる部分で最も輝度が大きくなっている。発光部からの光の放射が電極自身によって遮られるとき、発光部からの光の進行方向は制限されることとなる。このような場合に、上記のように、光源ランプを点光源とみなして凹面鏡の焦点位置に配置しても、２つの発光部からの光をうまく平行とすることができない。つまり、光を有効に利用することが困難であるという問題があった。
【０００６】
この発明は、従来技術における上述の課題を解決するためになされたものであり、光源装置において、光源ランプから射出される光を有効に利用することができる技術を提供することを目的とする。
【０００７】
【課題を解決するための手段およびその作用・効果】
上述の課題の少なくとも一部を解決するため、本発明の第１の装置は、光源装置であって、
所定の軸上に配置された第１および第２の電極を備える光源ランプと、
前記所定の軸を中心とした回転曲面によって構成された凹面を有する凹面鏡と、
を備え、
前記凹面鏡の凹面は、
前記凹面鏡の底部側の領域における第１の凹面と、開口側の領域における第２の凹面と、を含み、
前記第１の凹面は、前記凹面鏡の開口側に配置された前記第１の電極の近傍の点を焦点とする第１種の回転二次曲面形状を有し、
前記第２の凹面は、前記凹面鏡の底部側に配置された前記第２の電極の近傍の点を焦点とする第２種の回転二次曲面形状を有することを特徴とする。
【０００８】
本発明の光源装置においては、凹面鏡は、第１の電極の近傍の点を焦点とする第１の凹面と第２の電極の近傍の点を焦点とする第２の凹面とを有しているので、第１の電極の近傍の点から射出される光を第１の凹面で反射し、第２の電極の近傍の点から射出される光を第２の凹面で反射することができる。これにより、第１および第２の凹面によって反射された光を所定の方向にかなり正確に射出することができるので、光源装置において、光を有効に利用することが可能となる。
【０００９】
上記光源装置において、
前記第１の凹面と前記第２の凹面とは、前記第１の電極と前記第２の電極との中心を通り前記所定の軸と直交する平面と、前記凹面鏡と、の交線近傍において区分されているようにしてもよい。
【００１０】
こうすれば、第１の電極近傍の点から主として射出される光を第１の凹面で反射することができ、第２の電極近傍の点から主として射出される光を第２の凹面で反射することができるので、光源ランプから射出される光を有効に利用することが可能となる。
【００１１】
上記光源装置において、
前記第１種および第２種の回転二次曲面形状は、回転放物面形状であるようにしてもよい。
【００１２】
あるいは、上記光源装置において、
前記第１種および第２種の回転二次曲面形状は、回転楕円面形状であるようにしてもよい。
【００１３】
このように、第１および第２の凹面を回転放物面形状あるいは回転楕円面形状とすれば、第１および第２の電極近傍から射出される光をうまく所定の方向に反射することができるので、光源装置における光の利用効率を向上させることが容易となる。
【００１４】
さらに、上記光源装置において、
前記第１の凹面の２つの焦点のうちの前記第１の電極近傍の焦点でない他方の焦点と、前記第２の凹面の２つの焦点のうちの前記第２の電極近傍の焦点でない他方の焦点とは、ほぼ一致することが望ましい。
【００１５】
このように、回転楕円面形状の第１および第２の凹面の他方の焦点を一致させれば、第１および第２の電極近傍から射出される光をうまくその他方の焦点の方向に反射することができる。
【００１６】
さらに、上記光源装置において、
前記光源装置からの射出光を略平行な光線束に変換するための平行化レンズを備えるようにしてもよい。
【００１７】
こうすれば、回転楕円面形状の第１および第２の凹面を有する凹面鏡を用いた光源装置においても、略平行な光線束を射出することが可能となる。
【００１８】
さらに、上記光源装置において、
前記光源装置は、射出面に透光性の前面板を備えるようにしてもよい。
【００１９】
さらに、上記光源装置において、
前記光源装置の内部と外部とを貫通する通気孔を備えることが好ましい。
【００２０】
このようにすれば、前面板を設けた場合にも、光源装置内部の温度上昇を低減することができる。
【００２１】
本発明の第２の装置は、投写型表示装置であって、
本発明の第１の装置である上記のいずれかの光源装置を含む照明光学系と、
前記照明光学系からの光を画像情報に応じて変調する電気光学装置と、
前記電気光学装置で得られる変調光線束を投写する投写光学系と、
を備えることを特徴とする。
【００２２】
本発明の投写型表示装置においては、本発明の第１の装置である光源装置が用いられている。したがって、この投写型表示装置においては、光源装置における光の利用効率が高いため、投写表示される画像の明るさを向上させることが可能である。
【００２３】
【発明の実施の形態】
Ａ．光源装置２０：
図１は、本発明を適用した光源装置の第１の実施形態を示す説明図である。図１（Ａ）は、光源装置２０を、光源光軸２０ａｘを通り光源光軸２０ａｘと平行な平面で切断した概略断面図を示している。図１（Ｂ）は、光源装置２０を、光の射出方向から見た平面図を示している。ここで、光源光軸２０ａｘとは、以下に説明する２つの電極が配置される軸であり、また、凹面鏡２４の凹面２４Ｒの回転軸となる軸である。
【００２４】
光源装置２０は、光源ランプ２２と凹面鏡２４と前面ガラス２６とを備えている。凹面鏡２４は、光源光軸２０ａｘに軸対称な回転放物面形状の凹面２４Ｒを有する放物面凹面鏡である。放物面凹面鏡２４の回転体は、例えば、硬質ガラスを用いて形成されている。放物面凹面鏡２４の凹面２４Ｒ上には誘電体多層膜が形成されており、凹面２４Ｒが反射鏡として機能する。なお、凹面２４Ｒ上には、アルミニウム膜や銀膜などの金属反射膜を形成するようにしてもよい。
【００２５】
光源ランプ２２は、固定部２４ｈによって放物面凹面鏡２４に固定されている。光源ランプ２２は、略放射状に光を射出する。光源ランプ２２から射出された光は、放物面凹面鏡２４によって反射され、反射光は光源光軸２０ａｘとほぼ平行に進む。本実施例においては、光源ランプ２２として超高圧水銀ランプが用いられている。なお、光源ランプ２２および放物面凹面鏡２４の形状については、さらに、後述する。
【００２６】
前面ガラス２６は、略円形の透光性の板材であり、放物面凹面鏡２４の開口面に設けられている。本実施例においては、前面ガラス２６として、光源ランプから射出される可視光をほとんど透過させる硬質ガラスが用いられている。
【００２７】
また、光源装置２０には、複数の通気孔Ｖ１〜Ｖ５が設けられている。通気孔Ｖ１〜Ｖ５は、放物面凹面鏡２４の射出面に前面ガラス２６を配置することに起因する光源装置２０内部の温度上昇を低減する機能を有している。具体的には、光源ランプ２２の発光部や放物面凹面鏡２４の反射面での発熱による温度上昇を低減する。これにより、光源ランプ２２などの寿命を長くすることが可能である。
【００２８】
第１から第４の通気孔Ｖ１〜Ｖ４は、図１（Ａ），（Ｂ）に示すように、放物面凹面鏡２４の射出面側の円周部に、９０度毎に設けられている。通気孔Ｖ１〜Ｖ４は、放物面凹面鏡２４に設けられたＵ字型の切欠部と前面ガラス２６とによって形成されている。第５の通気孔Ｖ５は、固定部２４ｈと放物面凹面鏡２４との間に設けられている。なお、通気孔の形状は、Ｕ字型の形状に限定されるものではなく、通気孔の数も限定されるものではない。また、前面ガラス２６を省略する場合には、通気孔も省略可能である。
【００２９】
図２は、図１（Ａ）の光源ランプ２２を拡大して示す説明図である。光源ランプ２２は、発光管２２ｇと、２つの電極２２ｅ１，２２ｅ２と、２つの電極に電圧を印加するためのモリブデン箔２２ｍ１，２２ｍ２とニッケルリード線２２ｎ１，２２ｎ２とを備えている。
【００３０】
発光管２２ｇは、２つの電極２２ｅ１，２２ｅ２と、モリブデン箔２２ｍ１，２２ｍ２とを覆うように設けられており、石英ガラスによって形成されている。なお、発光管２２ｇ内部には、ハロゲンガスが封入されている。第１および第２の電極２２ｅ１，２２ｅ２は、タングステン製の電極芯棒の先端にタングステン製のコイルが設けられたものである。第１および第２の電極２２ｅ１，２２ｅ２は、それぞれモリブデン箔２２ｍ１，２２ｍ２を介して、ニッケルリード線２２ｎ１，２２ｎ２に接続されている。２つの電極２２ｅ１，２２ｅ２の間に所定の電圧が印加されると、光源ランプ２２は点灯し、電極の間にアークが発生する。
【００３１】
光源ランプ２２が点灯しているとき、その輝度は、第１の電極近傍の点２２ａ１と、第２の電極近傍の点２２ａ２と、において最も大きくなる。第１の電極近傍の点２２ａ１から射出された光は、図２に一点鎖線で示すように、主として、図中左方向に進む。これは、図中右方向に向かう光が、第１の電極２２ｅ１によって遮られてしまうためである。一方、第２の電極近傍の点２２ａ２から射出された光は、図２に破線で示すように、主として、図中右方向に進む。これは、図中左方向に向かう光が、第２の電極２２ｅ２によって遮られてしまうためである。このとき、光源ランプ２２から射出される光のうち、第１の電極２２ｅ１から射出された光は、主として、図１（Ａ）の放物面凹面鏡２４の低部（光源ランプの固定部２４ｈ）側の領域を照射する。一方、第２の電極２２ｅ２から射出された光は、主として、放物面凹面鏡２４の開口側の領域を照射する。本発明においては、光源ランプ２２から射出される光の上記のような特性を利用して、放物面凹面鏡２４の凹面２４Ｒの形状を工夫している。
【００３２】
図３は、図１（Ａ）の放物面凹面鏡２４の凹面２４Ｒの形状を示す説明図である。凹面２４Ｒは、図示するように、２種類の回転放物面形状の凹面を含んでいる。第１の凹面ＣＰ１は、放物面凹面鏡２４の凹面２４Ｒの底部側の領域において設けられており、第２の凹面ＣＰ２は、開口側の領域において設けられている。
【００３３】
上記のように、第１の電極近傍の点２２ａ１から射出された光は、主として、図中左方に向かうので、第１の凹面ＣＰ１において反射されることとなる。一方、第２の電極近傍の点２２ａ２から射出された光は、主として、図中右方に向かうので、第２の凹面ＣＰ２において反射されることとなる。ここで、第１の凹面ＣＰ１は、第１の電極近傍の点２２ａ１（図２）を焦点とする第１種の回転放物面である。一方、第２の凹面ＣＰ２は、第２の電極近傍の点２２ａ２（図２）を焦点とする第２種の回転放物面である。したがって、第１の電極近傍の点２２ａ１から射出され第１の凹面ＣＰ１によって反射された光は、光源光軸２０ａｘとほぼ平行となって光源装置２０から射出されることとなる。また、第２の電極近傍の点２２ａ２から射出され第２の凹面ＣＰ２によって反射された光も、光源光軸２０ａｘとほぼ平行となって光源装置２０から射出される。このような第１および第２の凹面を有する放物面凹面鏡２４を用いれば、光源ランプ２２（図１（Ａ））から射出される光を効率よく利用することが可能となる。
【００３４】
なお、凹面２４Ｒに含まれる第１の凹面ＣＰ１と第２の凹面ＣＰ２とは、図３に示すように、第１の電極近傍の点２２ａ１と第２の電極近傍の点２２ａ２との中心点２２ａｃを通り光源光軸２０ａｘと直交する平面と、放物面凹面鏡２４の凹面２４Ｒと、の交線Ｘ近傍において区分されている。交線Ｘの近傍領域は、図３に示すように、第１の電極近傍の点２２ａ１および第２の電極近傍の点２２ａ２から射出された光が共に照射する領域である。したがって、交線Ｘの近傍領域は、第１の凹面ＣＰ１と第２凹面ＣＰ２とを滑らかにつなぐ曲面とすることが好ましい。
【００３５】
Ｂ．光源装置３０：
図４は、本発明の光源装置の第２の実施形態として、楕円面凹面鏡３４を用いた光源装置３０の概略構成を示す説明図である。図４の光源装置３０は、図２と同じ光源ランプ（図示せず）と、楕円面凹面鏡３４と、前面ガラス３６と、平行化レンズ３８とを備えている。本実施形態の光源装置３０は、第１の実施形態に係る光源装置２０に対し、凹面鏡の形状が異なっている。なお、図４の光源装置３０においても、実際には、図１（Ａ），（Ｂ）に示すような通気孔が設けられているが、図示は省略されている。図４中、第１の実施形態に係る光源装置２０（図１）と同じ部分には、同じ符号が付されており、それらの詳細な説明は省略する。
【００３６】
光源ランプの第１および第２の電極近傍の点２２ａ１，２２ａ２から射出された光は、楕円面凹面鏡３４の凹面３４Ｒで反射される。凹面３４Ｒは、図示するように、２種類の回転楕円面形状の凹面を含んでいる。第１の凹面ＣＥ１は、楕円面凹面鏡３４の凹面３４Ｒの底部側の領域において設けられており、第２の凹面ＣＥ２は、開口側の領域において設けられている。このとき、第１の電極近傍の点２２ａ１から射出された光は、図４に一点鎖線で示すように、主として、図中左方に向かうので、第１の凹面ＣＥ１において反射されることとなる。一方、第２の電極近傍の点２２ａ２から射出された光は、図４に破線で示すように、主として、図中右方に向かうので、第２の凹面ＣＥ２において反射されることとなる。
【００３７】
ここで、第１の凹面ＣＥ１は、第１の電極近傍の点２２ａ１を、２つの焦点のうちの第１焦点とする回転楕円面である。一方、第２の凹面ＣＥ２は、第２の電極近傍の点２２ａ２を、２つの焦点のうちの第１焦点とする回転楕円面である。したがって、第１の電極近傍の点２２ａ１から射出され第１の凹面ＣＥ１によって反射された光は、第１の凹面ＣＥ１の２つの焦点のうちの他方の第２焦点２２ａ１’に向かうこととなる。また、第２の電極近傍の点２２ａ２から射出され第２の凹面ＣＥ２によって反射された光は、第２の凹面ＣＥ２の２つの焦点のうちの他方の第２焦点２２ａ２’に向かうこととなる。本実施例においては、図４に示すように、第１および第２の凹面ＣＥ１，ＣＥ２の形状は、第１の凹面ＣＥ１の第２焦点２２ａ１’と、第２の凹面ＣＥ２の第２焦点２２ａ２’とが、点Ｐにおいてほぼ一致するように設定されている。したがって、第１および第２の凹面ＣＥ１，ＣＥ２からの反射光は、ともに第２焦点Ｐに向かって集光されつつ進むこととなる。
【００３８】
なお、第１の実施形態に係る光源装置２０と同様に、図４の楕円面凹面鏡３４の凹面３４Ｒに含まれる第１の凹面ＣＥ１と第２の凹面ＣＥ２とは、第１の電極近傍の点２２ａ１と第２の電極近傍の点２２ａ２との中心点２２ａｃを通り光源光軸３０ａｘと直交する平面と、楕円面凹面鏡３４の凹面３４Ｒとの交線Ｘ近傍において区分されている。楕円面凹面鏡３４においても、交線Ｘの近傍領域は、第１の凹面ＣＥ１と第２凹面ＣＥ２とを滑らかにつなぐ曲面とすることが好ましい。
【００３９】
楕円面凹面鏡３４の凹面３４Ｒからの反射光は、楕円面凹面鏡３４の開口面に設けられた前面ガラス３６を通過した後に、平行化レンズ３８に入射する。平行化レンズ３８は、楕円面凹面鏡３４からの反射光をほぼ平行な光に変換する機能を有している。これにより、光源装置３０から射出される光線束は、光源光軸３０ａｘとほぼ平行な光線束となる。
【００４０】
このように、２種類の回転楕円面形状の凹面ＣＥ１，ＣＥ２を含む凹面３４Ｒを備えた楕円面凹面鏡３４を用いた場合にも、光源ランプから射出された光を所定の方向に射出することができるので、光源装置３０において、光源ランプから射出された光を有効に利用することができる。なお、図４の光源装置３０においては、略平行な光線束を射出するために平行化レンズ３８が備えられているが、第２焦点Ｐで集光するような光線束を射出したい場合には、平行化レンズ３８は省略してもよい。また、図４の光源装置３０においては、前面ガラス３６と平行化レンズ３８との双方が用いられているが、楕円面凹面鏡３４の開口面に平行化レンズ３８を配置することによって前面ガラス３６を省略するようにしてもよい。
【００４１】
Ｃ．光源装置２０Ａ：
図５は、図１（Ａ），（Ｂ）に示す光源装置２０の第１の変形例を示す説明図である。図５（Ａ）は、光源装置２０Ａを、光源光軸２０Ａａｘを通り光源光軸２０Ａａｘと平行な平面で切断した概略断面図を示している。図５（Ｂ）は、光源装置２０Ａを、光の射出方向から見た平面図を示している。
【００４２】
この光源装置２０Ａは、光源装置２０（図１（Ａ），（Ｂ））と比較して、凹面鏡２４Ａの形状と前面ガラス２６Ａの形状とが異なっている。図５中、第１の実施形態に係る光源装置２０（図１）と同じ部分には、同じ符号が付されており、それらの詳細な説明は省略する。
【００４３】
本実施形態の光源装置２０Ａにおいて、凹面２４ＡＲは、図１（Ａ），（Ｂ）に示す光源装置２０Ａと同様に、２種類の回転放物面形状の凹面を含んでいるが、凹面鏡２４Ａの開口面は略正方形となっている。また、凹面鏡２４Ａの開口面側の領域Ｆは、断面が略正方形の枠形状である中空角柱で構成されている。なお、凹面鏡２４Ａにおいて、回転放物面で構成された凹面と中空角柱で構成された領域Ｆの内側平面２４ＡＲ’とは、滑らかにつながれていることが好ましい。また、光源装置２０Ａの凹面鏡２４Ａの形状に対応して、前面ガラス２６Ａとしては、略正方形の透光性の板材が用いられている。
【００４４】
ところで、凹面鏡２４Ａの中空角柱の内側平面２４ＡＲ’は、光源ランプ２２の第２の電極近傍の点２２ａ２からの光が主として照射する図５（Ａ）の破線で示す領域よりも、開口面側であることが好ましい。こうすれば、第２の電極近傍の点２２ａ２から射出される光のほとんどは、凹面鏡２４Ａの第２の凹面において反射されることとなる。このとき、光源装置２０Ａは、光源光軸２０Ａａｘとほぼ平行な光線束を射出することができるので、光源ランプ２２から射出される光を有効に利用することが可能である。
【００４５】
また、この光源装置２０Ａにおいても、複数の通気孔ＶＡ１〜ＶＡ５が設けられている。通気孔ＶＡ５については、図１（Ａ），（Ｂ）に示す光源装置２０における通気孔Ｖ５の位置とほぼ同じ位置に設けられている。一方、他の通気孔ＶＡ１〜ＶＡ４については、中空角柱の稜線上に設けられている。このようにしても、光源装置２０Ａ内部の温度上昇を低減することが可能である。
【００４６】
Ｄ．光源装置２０Ｂ：
図６は、図１（Ａ），（Ｂ）に示す光源装置２０の第２の変形例を示す説明図である。この光源装置２０Ｂは、光源装置２０（図１（Ａ），（Ｂ））と比較して、射出面側の４つの通気孔ＶＢ１〜ＶＢ４の設け方が異なっている。なお、図６中、第１の実施形態に係る光源装置２０（図１）と同じ部分には、同じ符号が付されており、それらの詳細な説明は省略する。光源装置２０においては、放物面凹面鏡２４にＵ字型の切欠部を形成することによって４つの通気孔Ｖ１〜Ｖ４が設けられているが、この光源装置２０Ｂにおいては、前面ガラス２６Ｂの円周に半円状の切欠部を形成することによって４つの通気孔ＶＢ１〜ＶＢ４が設けられている。このようにすれば、光源ランプ２２から射出される光を、より多く放物面凹面鏡２４Ｂの凹面２４ＢＲで反射できるので、光の利用効率をより大きくすることができる可能性がある。
【００４７】
Ｅ．上記実施例の効果：
上記のように、本実施例の光源装置２０，３０，２０Ａ，２０Ｂにおいては、凹面鏡の凹面は、第１の電極の近傍の点２２ａ１を焦点とする第１の凹面ＣＰ１，ＣＥ１と、第２の電極の近傍の点２２ａ２を焦点とする第２の凹面ＣＰ２，ＣＥ２とを有している。このとき、第１の電極の近傍の点２２ａ１から射出される光は、主として、第１の凹面ＣＰ１，ＣＥ１で反射され、第２の電極の近傍の点２２ａ２から射出される光は、主として、第２の凹面ＣＰ２，ＣＥ２で反射される。これにより、第１および第２の凹面によって反射された光を所定の方向に正確に射出することができるので、光源装置２０，３０，２０Ａ，２０Ｂにおいて、光源ランプから射出される光を有効に利用することが可能となる。
【００４８】
Ｆ．投写型表示装置：
図７は、本発明を適用した投写型表示装置の一例を示す概略構成図である。投写型表示装置１０００は、照明光学系１００と、色光分離光学系２００と、リレー光学系２２０と、３枚の液晶ライトバルブ３００Ｒ，３００Ｇ，３００Ｂと、クロスダイクロイックプリズム３２０と、投写光学系３４０とを備えている。
【００４９】
照明光学系１００は、偏光発生光学系を備えており、偏光方向の揃った１種類の直線偏光光を射出する。照明光学系１００から射出された光は、色光分離光学系２００において赤（Ｒ）、緑（Ｇ）、青（Ｂ）の３色の色光に分離される。分離された各色光は、液晶ライトバルブ３００Ｒ，３００Ｇ，３００Ｂにおいて画像情報に対応して変調される。ここで、液晶ライトバルブ３００Ｒ，３００Ｇ，３００Ｂは、本発明における電気光学装置に相当する液晶パネルと、その光入射面側および光射出面側に配置された偏光板とによって構成されている。液晶ライトバルブ３００Ｒ，３００Ｇ，３００Ｂにおいて変調された各色光は、クロスダイクロイックプリズム３２０で合成され、投写光学系３４０によってスクリーンＳＣ上に投写される。これにより、スクリーンＳＣ上に画像が表示されることとなる。なお、図７に示すような投写型表示装置の各部の構成および機能については、例えば、本願出願人によって開示された特開平１０−３２５９５４号公報に詳述されているので、本明細書において詳細な説明は省略する。
【００５０】
この投写型表示装置１０００においては、照明光学系１００の光源装置として、図１の光源装置２０が用いられている。この光源装置２０においては、前述したように、光源ランプ２２から射出された光を有効に利用することができるので、照明光学系１００から射出される光線束の輝度を向上させることが可能である。また、このような照明光学系１００を用いた投写型表示装置１０００では、スクリーンＳＣ上に投写される画像を明るくすることが可能となる。なお、光源装置２０に代えて、前述の光源装置３０，２０Ａ，２０Ｂを用いてもよい。
【００５１】
なお、本発明は上記の実施例や実施形態に限られるものではなく、その要旨を逸脱しない範囲において種々の態様において実施することが可能であり、例えば次のような変形も可能である。
【００５２】
（１）上記実施例の光源装置においては、図３，図４に示すように、光源ランプ２２の第１および第２の電極の中点２２ａｃを通り光源光軸に直交する平面と、凹面鏡との、交線Ｘ近傍において第１の凹面と第２の凹面とが区分されているが、他の位置で区分されていてもよい。一般に、第１および第２の凹面が区分される位置は、第１の電極の近傍の点から射出される光が主として照射する領域を第１の凹面とし、第２の電極の近傍の点から射出される光が主として照射する領域を第２の凹面とすることができるような位置であればよい。
【００５３】
（２）上記実施例では、図１の光源装置２０を光源装置２０Ａ，２０Ｂ（図５，図６）のように変形した場合について説明したが、図４の光源装置３０を同様に変形してもよい。また、これらの光源装置を図７の光源装置２０の代わりに用いてもよい。
【００５４】
（３）上記投写型表示装置においては、透過型の投写型表示装置に本発明の照明光学系を適用した場合を例示しているが、本発明は反射型の投写型表示装置にも適用することが可能である。ここで、「透過型」とは、透過型液晶パネル等のように光変調手段としての電気光学装置が光を透過するタイプであることを意味しており、「反射型」とは、反射型液晶パネルのように光変調手段としての電気光学装置が光を反射するタイプであることを意味している。反射型の投写型表示装置にこの発明を適用した場合にも、透過型の投写型表示装置とほぼ同様の効果を得ることができる。
【００５５】
（４）上記実施例において、投写型表示装置１０００は、電気光学装置として液晶パネルを用いているが、これに限られない。電気光学装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（米国テキサスインスツルメンツ社の商標）を用いることができる。
【図面の簡単な説明】
【図１】本発明を適用した光源装置の第１の実施形態を示す説明図である。
【図２】図１（Ａ）の光源ランプ２２を拡大して示す説明図である。
【図３】図１（Ａ）の放物面凹面鏡２４の凹面２４Ｒの形状を示す説明図である。
【図４】本発明の光源装置の第２の実施形態として、楕円面凹面鏡３４を用いた光源装置３０の概略構成を示す説明図である。
【図５】図１（Ａ），（Ｂ）に示す光源装置２０の第１の変形例を示す説明図である。
【図６】図１（Ａ），（Ｂ）に示す光源装置２０の第２の変形例を示す説明図である。
【図７】本発明を適用した投写型表示装置の一例を示す概略構成図である。
【符号の説明】
２０，２０Ａ，２０Ｂ，３０…光源装置
２０ａｘ，２０Ａａｘ，２０Ｂａｘ，３０ａｘ…光源光軸
２２…光源ランプ
２２ａ１，２２ａ２…第１および第２の電極近傍の点
２２ａｃ…中心点
２２ｅ１…第１の電極
２２ｅ２…第２の電極
２２ｇ…発光管
２２ｍ１，２２ｍ２…モリブデン箔
２２ｎ１，２２ｎ２…ニッケルリード線
２４ｈ…固定部
２４…放物面凹面鏡
２４Ｒ…凹面
２４Ａ…凹面鏡
２４ＡＲ…凹面
２４Ｂ…放物面凹面鏡
２４ＢＲ…凹面
２６，２６Ａ，２６Ｂ…前面ガラス
３４…楕円面凹面鏡
３４Ｒ…凹面
３６…前面ガラス
３８…平行化レンズ
１００…照明光学系
１０００…投写型表示装置
２００…色光分離光学系
２２０…リレー光学系
３００Ｒ，３００Ｇ，３００Ｂ…液晶ライトバルブ
３２０…クロスダイクロイックプリズム
３４０…投写光学系
ＣＥ１…凹面
ＣＥ２…凹面
ＣＰ１…凹面
ＣＰ２…凹面
Ｐ…焦点
ＳＣ…スクリーン
Ｖ１〜Ｖ５…通気孔
ＶＡ１〜ＶＡ５…通気孔
ＶＢ１〜ＶＢ５…通気孔
Ｘ…交線
【図１】
0003641975.tif 000002
【図２】
0003641975.tif 000003
【図３】
0003641975.tif 000004
【図４】
0003641975.tif 000005
【図５】
0003641975.tif 000006
【図６】
0003641975.tif 000007
【図７】
0003641975.tif 000008